【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ソールと反対側のクラウン、ヒール端と反対側のトウ端、後端及びホーゼルを有しており、チャネルが形成されているクラブ本体と、
調整可能な加重システムと、を備えており、
前記調整可能な加重システムは、
前記チャネルによって受け入れられるとともに前記クラブ本体に取り外し可能に結合するように構成されている部材であって、第１端部と第２端部を有する部材本体を有し、さらに、前記第１端部に配置されている第１の取り付け位置と、前記第１端部と前記第２端部の間に配置されている第２の取り付け位置と、前記第２端部に配置されている第３の取り付け位置と、を含む、部材と、
前記部材本体の前記第１の取り付け位置に取り外し可能に結合するように構成されており、第１質量を有する、第１のウェイトと、
前記部材本体の前記第２の取り付け位置に取り外し可能に結合するように構成されており、前記第１質量よりも小さい第２質量を有する、第２のウェイトと、
前記部材本体の前記第３の取り付け位置に取り外し可能に結合するように構成されており、前記第１質量よりも小さい第３質量を有する、第３のウェイトと、を有しており、
前記第１のウェイトと前記第２のウェイトと前記第３のウェイトは、前記クラブヘッドの重心を変化させるために、前記部材から取り外して再配置可能であり、
前記チャネルは、０．１インチから０．５インチの間の高さを有しており、
前記チャネルの前記高さは、前記チャネルの断面積が変化するように、前記クラブヘッドの前記ヒール端の近くから前記クラブヘッドの前記トウ端の近くに向けて変化する、ゴルフクラブヘッド。
【請求項２】
前記第１のウェイトは、６グラムから２０グラムの間の質量を有しており、
前記第２のウェイトと前記第３のウェイトは、０．２５グラムから４グラムの間の質量を有している、請求項１に記載のゴルフクラブヘッド。
【請求項３】
前記クラブヘッドはさらに、１．６インチよりも大きいクラブヘッド重心深さを有する、請求項２に記載のゴルフクラブヘッド。
【請求項４】
前記クラブヘッドはさらに、０．０６０インチ／グラムよりも大きい、前記第１のウェイトの質量に対する前記クラブヘッドの重心深さである深さ対質量比を有する、請求項３に記載のゴルフクラブヘッド。
【請求項５】
前記ウェイトのそれぞれは、前記クラブヘッドの周囲の０．５０インチ以内に配置されたウェイト重心を有する、請求項１に記載のゴルフクラブヘッド。
【請求項６】
前記第１のウェイトが第１の開口部を含み、前記部材本体の前記第１の取り付け位置が前記第１の開口部と整列した第２の開口部を含み、整列した前記第１の開口部と前記第２の開口部が第１の締結具を受け入れるように構成されており、
前記第２のウェイトが第３の開口部を含み、前記部材本体の前記第２の取り付け位置が前記第３の開口部と整列した第４の開口部を含み、整列した前記第３の開口部と前記第４の開口部が第２の締結具を受け入れるように構成されており、
前記第３のウェイトが第５の開口部を含み、前記部材本体の前記第３の取り付け位置が前記第５の開口部と整列した第６の開口部を含み、整列した前記第５の開口部と前記第６の開口部が第３の締結具を受け入れるように構成されている、請求項１に記載のゴルフクラブヘッド。
【請求項７】
前記チャネルが、第１の穴、第２の穴及び第３の穴を含み、
前記部材を前記クラブ本体に固定するために、前記第１の穴が前記第１の締結具を受け入れるように構成されており、前記第２の穴が前記第２の締結具を受け入れるように構成されており、前記第３の穴が前記第３の締結具を受け入れるように構成されており、
前記第１の締結具と前記第２の締結具と前記第３の締結具は、前記クラブヘッド本体と同等または小さい密度を有する、請求項６に記載のゴルフクラブヘッド。
【請求項８】
クラウンからソールへの慣性モーメントとヒールからトウへの慣性モーメントとの合計として定義される、前記クラブヘッドの重心周りの前記クラブヘッドの合成慣性モーメントが、８，０００ｇ・ｃｍ２より大きい、請求項２に記載のゴルフクラブヘッド。
【請求項９】
前記第１のウェイトの質量に対する前記クラブヘッドの重心周りの前記クラブヘッドの合成慣性モーメントの比が、４００ｃｍ２よりも大きい、請求項８に記載のゴルフクラブヘッド。
【請求項１０】
ゴルフクラブヘッドであって、
ソールと反対側のクラウン、ヒール端と反対側のトウ端、後端及びホーゼルを有しており、チャネルが形成されているクラブ本体と、
調整可能な加重システムと、を備えており、
前記調整可能な加重システムは、
前記チャネルによって受け入れられるとともに前記クラブ本体に取り外し可能に結合するように構成されている部材であって、第１端部と第２端部を有する部材本体を有する、部材と、
前記部材本体の前記第１端部に取り外し可能に結合するように構成されており、第１質量を有する、第１のウェイトと、
前記部材本体の前記第２端部に取り外し可能に結合するように構成されており、前記第１質量よりも小さい第２質量を有する、第２のウェイトと、を有しており、
前記第１のウェイトと前記第２のウェイトは、前記クラブヘッドの重心を変化させるために、前記部材から取り外して再配置可能であり、
前記第１のウェイトが第１の開口部を含み、前記本体の前記第１端部が前記第１の開口部と整列した第２の開口部を含み、整列した前記第１の開口部と前記第２の開口部が締結具を受け入れるように構成されている、ゴルフクラブヘッド。
【請求項１１】
前記チャネルが、前記部材を前記クラブ本体の前記チャネル内に固定するために、前記締結具を受け入れるように構成されている穴を含む、請求項１０に記載のゴルフクラブヘッド。
【請求項１２】
前記締結具が第１の締結具であり、
前記第２のウェイトが第３の開口部を含み、前記本体の前記第２端部が前記第３の開口部と整列した第４の開口部を含み、整列した前記第３の開口部と前記第４の開口部が第２の締結具を受け入れるように構成されている、請求項１０に記載のゴルフクラブヘッド。
【請求項１３】
前記チャネルが、第１の穴及び第２の穴を含み、
前記部材を前記クラブ本体に固定するために、前記第１の穴が前記第１の締結具を受け入れるように構成されており、前記第２の穴が前記第２の締結具を受け入れるように構成されている、請求項１２に記載のゴルフクラブヘッド。
【請求項１４】
ゴルフクラブヘッドであって、
ソールと反対側のクラウン、ヒール端と反対側のトウ端、後端及びホーゼルを有するクラブ本体と、
前記ソールに配置されているフェース角調整システムと、を備えており、
前記フェース角調整システムは、
単一のチャネルと、
前記チャネルによって取り外し可能に受け入れられている、部材と、を有しており、
前記部材は、第１の端部部材と第２の端部部材とを含む部材本体、を有しており、
前記部材は、前記ゴルフクラブヘッドの静止フェース角を調整するために前記チャネル内に再配置するように構成されており、
前記部材は、本体を有しており、
前記第１の端部部材が、前記本体に結合するとともに前記本体に対して回転するように構成されており、
前記第２の端部部材が、前記本体に結合するとともに前記本体に対して回転するように構成されており、
前記第１の端部部材と前記第２の端部部材は、第１の構成、第２の構成及び第３の構成の間で前記本体に対して回転するように構成されており、
前記第１の構成では、前記第１の端部部材が前記チャネルから延出し、前記第２の端部部材が前記チャネルから延出せず、
前記第２の構成では、前記第２の端部部材が前記チャネルから延出し、前記第１の端部部材が前記チャネルから延出せず、
前記第３の構成では、前記第１の端部部材と前記第２の端部部材が前記チャネルから延出しない、ゴルフクラブヘッド。
【請求項１５】
前記第の端部部材と前記第２の端部部材のそれぞれは、第１の側面と第２の側面を含み、前記第１の側面は前記第２の側面よりも長い、請求項１４に記載のゴルフクラブヘッド。